(57)【要約】【課題】  必要な時にのみ音を出すことができる鈴を得る。【解決手段】  鈴本体２と、この鈴本体２の空洞部３に挿入された転動体４とを備えた鈴１において、上記鈴本体２は非磁性体材料で形成され、上記転動体４は永久磁石で形成される。【選択図】図１
2010015115.tif 000002
【特許請求の範囲】
【請求項１】
この発明の鈴は、鈴本体とこの鈴本体の空洞部に挿入された転動体とを備えた鈴において、上記鈴本体は非磁性体材料で形成され、上記転動体は永久磁石で形成されたことを特徴とする鈴。
【発明の詳細な説明】
【技術分野】
【０００１】  本発明は、鈴に関するものである。
【背景技術】
【０００２】  従来の鈴は、一般的に鉄又は黄銅等で形成された鈴本体の中に、非磁性体材料でできたアルミニウム合金や磁性体材料でできた鉄製等の転動体が挿入されている。【０００３】  また、従来の鈴の音の制御としては、鈴の大きさに合わせたポーチを鈴に被せることにより、未使用時に鈴の音が鳴らないようにされている。（例えば、特許文献１参照。）
【特許文献１】実用新案登録第３１０１４９１号（７頁、第１図、第３図）
【発明の開示】
【発明が解決しようとする課題】
【０００４】  上記の様な従来の鈴は、色々な金属を組合せて出来たものが多く、鈴本体の空洞部に挿入された転動体はフリーの状態で、振動を受けると動き出し、必要性が有る無しに関係なく音を出し、周囲の人が耳ざわりになると言う問題点があった。【０００５】  従来の鈴の音の制御は、鈴の大きさに合わせた専用のポーチが必要であり、鈴より大きく作られているために、嵩張ると言う問題点があった。【０００６】  本発明は、上記のような問題点を解決するためになされたもので、必要性が有る時のみ音を出すことができる鈴を得るものである。
【課題を解決するための手段】
【０００７】  この発明の鈴は、鈴本体とこの鈴本体の空洞部に挿入された転動体とを備えた鈴において、上記鈴本体は非磁性体材料で形成され、上記転動体は永久磁石で形成されたものである。
【発明の効果】
【０００８】  この発明の鈴は、転動体に永久磁石を使用したので、鈴本体の外周部に鉄片等の磁性体材料を接触させたり取り外したりする着脱操作により、転動体の動きを制御し、鈴の音を止めたり鳴らしたり自由にできるので周囲の人に迷惑をかけることがなくなる。【０００９】  また、この発明の鈴は、鈴の大きさに合わせた専用のポーチが不要であり、嵩張ることがなく、携帯が容易である。
【発明を実施するための最良の形態】
【００１０】実施の形態１．
図１は、この発明の実施の形態１を示す鈴の正面図である。図２は、この発明の実施の形態１を示す鈴の側面図である。図３は、この発明の実施の形態１を示す鈴の底面図である。図４は、この発明の鈴の使用状態を示す参考図である。図において、１は鈴である。２は鈴本体であり、黄銅又はステンレス等の非磁性体材料で形成されている。３は鈴本体２の空洞部である。４は転動体であり、磁性体材料を吸着可能とする永久磁石で形成されており、鈴本体２の空洞部３を自由に転動できる。５は穴であり一対形成されている。６は溝であり一対の穴５をつなぐ様に形成されている。７は吊り環であり、鈴本体２の外周部に固着されている。８は鉄片であり、磁性体材料で形成されている。なお、鉄片８は永久磁石に吸着できる磁性体材料を用いて、鈴やベルをはじめ色々の形状に加工された物もある。９は鉄片の紐通し穴であり、鉄片８の一端に開けてある。１０は連結紐であり、非磁性体材料で形成されている。１０ａは連結紐１０の一端であり、吊り環７に通し鈴１を取り付けてある。１０ｂは連結紐１０の他端であり、鉄片の紐通し穴９に通し鉄片８を取り付けてある。１１は第１の紐止め具であり、鈴１が連結紐１０から脱落しないように係止している。１２は第２の紐止め具であり、鉄片８が連結紐１０から脱落しないように係止している。【００１１】  上述の様に構成された鈴の使用方法を、図４に基づき説明する。図４に示す様に、あらかじめ、鈴１には連結紐１０で鉄片８を連結して備え付けておく。鈴１が鳴らないようにする時は、鈴本体２の外周部に磁性体材料で形成された鉄片８を接触させて、永久磁石で形成された転動体４に吸着させる。この状態で鈴１を携行すると転動体４は鈴本体２の内面に固定し動かないので音が出なくなり周囲の人が耳ざわりでなくなる。一方、鈴１が鳴るようにする時は、鈴本体２の外周部から磁性体材料で形成された鉄片８を取り外し、転動体４が自由に動く状態で携行すると、転動体４が身体の揺れに反応し、鈴本来の音色が発せられる。例えば、お遍路で、鈴１を付けた金剛杖や頭陀袋を持って家から出る時は、鈴１が鳴らないように鉄片８を転動体４に吸着させて携行する。一方、お遍路道を歩く時は鉄片８を取り外し、転動体４が自由に動く状態で携行すると、転動体４は身体の揺れに反応し鈴本来の音色が発せられる。その他熊よけ鈴や、猫の首輪の鈴や、楽器の鈴にも利用できる。【００１２】  図５は、この発明の鈴の、他の使用状態を示す参考図である。図５において、上記実施の形態１と同様なものは、同じ符号を付けてその説明を省略する。図において、１３は杓子である。１４は杓子の紐通し穴であり、杓子１３の一端に開けられている。１５は結び紐であり、鈴１と杓子１３を一体化している。１６は第３の紐止め具であり、結び紐１５で結んだ鈴１と杓子１３が外れないように係止してある。また、１７は吊り戸棚の底板であり、鈴１を接着剤で取り付けている。【００１３】  上述の様に構成された鈴１を、吊り器具とした使用方法を、図５に基づき説明する。鈴本体２の空洞部３に挿入された転動体４を永久磁石にしたことで、音を出したり止めたりする機能と合わせ、鈴１自体が磁性体材料を吸着し保持する機能が生まれた。この吸着力を生かすために、杓子１３に鈴１を結び紐１５と第３の紐止め具１６で取り付ける。また、吊り戸棚の底板１７には鈴１を接着剤等で取り付ける。従って、杓子１３の鈴本体２と吊り戸棚の底板１７の鈴本体２とを接触させると、永久磁石でできた転動体４はＮ極とＳ極が自然に作用して吸着しあい、杓子１３を吊り下げることができる。もし、杓子１３が落下した時には鈴１が鳴るので、目の不自由な方には、杓子９が落下した時に鈴の音を出して知らせることができる。その他の台所用品や、筆記用品や、キーホルダーの吊り具にも利用できる。
【図面の簡単な説明】
【００１４】
【００１５】
【図１】  この発明の実施の形態１を示す鈴の正面図である。
【図２】  この発明の実施の形態１を示す鈴の側面図である。
【図３】  この発明の実施の形態１を示す鈴の底面図である。
【図４】  この発明の実施の形態１を示す鈴の使用状態を示す参考図である。
【図５】  この発明の鈴の、他の使用状態を示す参考図である。
【符号の説明】
【００１６】１        鈴
２        鈴本体
３        空洞部
４        転動体
５        穴
６        溝
７        吊り環
８        鉄片
９        鉄片の紐通し穴
１０      連結紐
１０ａ    紐の一端
１０ｂ    紐の他端
１１      第１の紐止め具
１２      第２の紐止め具
１３      杓子
１４      杓子の紐通し穴
１５      結び紐
１６      第３の紐止め具
１７      吊り戸棚の底板
【図１】
2010015115.tif 000003
【図２】
2010015115.tif 000004
【図３】
2010015115.tif 000005
【図４】
2010015115.tif 000006
【図５】
2010015115.tif 000007
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
非磁性体材料で形成された鈴本体と、この鈴本体の空洞部に挿入され永久磁石で形成された転動体と、上記鈴本体の外周部に固着された吊り環と、この吊り環に取り付けられた連結紐と、この連結紐の他端に取り付けられた鉄片と、上記吊り環から外れないように止める第１の紐止め具と、上記鉄片が上記連結紐から外れないように止める第２の紐止め具を備えたことを特徴とする鈴。
【手続補正２】
【補正対象書類名】明細書
【補正対象項目名】０００７
【補正方法】変更
【補正の内容】
【０００７】  この発明の鈴は、非磁性体材料で形成された鈴本体と、この鈴本体の空洞部に挿入され永久磁石で形成された転動体と、上記鈴本体の外周部に固着された吊り環と、この吊り環に取り付けられた連結紐と、この連結紐の他端に取り付けられた鉄片と、上記吊り環から外れないように止める第１の紐止め具と、上記鉄片が上記連結紐から外れないように止める第２の紐止め具とを備えたものである。
【手続補正２】
【補正対象書類名】明細書
【補正対象項目名】０００８
【補正方法】変更
【補正の内容】
【０００８】  この発明の鈴は、転動体に永久磁石を使用したので、鈴本体の外周部に鉄片等の磁性体材料を接触させたり取り外したりする着脱操作により、転動体の動きを制御し、鈴の音を止めたり嗚らしたり自由にできるので周囲の人に迷惑をかけることがなくなる。また、鈴本体と鉄片を連結紐で一体に接続したので、携行が容易で鉄片を紛失しなくなる。